(57)【特許請求の範囲】
【請求項１】
ディーゼルエンジン本体と、
前記ディーゼルエンジン本体の燃焼室内に燃料を噴射するよう構成された燃料噴射弁と、
前記燃料噴射弁を通じた燃料の噴射態様を制御することによって、前記ディーゼルエンジン本体を運転するよう構成された制御器と、を備え、
前記制御器は、前記燃焼室内に導入される吸気の目標酸素濃度と実酸素濃度との偏差が第１所定以上になって着火性が低下したときには、前記燃料の噴射態様を、主噴射の前に、第１、第２及び第３の噴射を順に行う前噴射を含む第１噴射モードにし、
前記制御器は、前記偏差が第２所定以上になって着火性がさらに低下したときには、前記燃料の噴射態様を、前記第１噴射モードに対して、少なくとも第２及び第３の噴射を遅角させると共に、第２の噴射の遅角量を、第３の噴射の遅角量よりも大きくした第２噴射モードにするディーゼルエンジンの燃料噴射制御装置。
【請求項２】
請求項１に記載のディーゼルエンジンの燃料噴射制御装置において、
前記制御器は、前記第１噴射モードにおいて、前記偏差が大きくなるほど、前記前噴射の噴射量を増量すると共に、前記前噴射の複数回の噴射の内、第２の噴射の増量率を、第１及び第３の噴射の増量率よりも高くするディーゼルエンジンの燃料噴射制御装置。
【請求項３】
請求項１又は２に記載のディーゼルエンジンの燃料噴射制御装置において、
前記制御器は、前記第２噴射モードにおいて、前記偏差が大きくなるほど、前記前噴射の噴射量を増量すると共に、前記前噴射の複数回の噴射の内、第３の噴射の増量率を、第１及び第２の噴射の増量率よりも高くするディーゼルエンジンの燃料噴射制御装置。
【請求項４】
ディーゼルエンジン本体と、
前記ディーゼルエンジン本体の燃焼室内に燃料を噴射するよう構成された燃料噴射弁と、
前記燃料噴射弁を通じた燃料の噴射態様を制御することによって、前記ディーゼルエンジン本体を運転するよう構成された制御器と、を備え、
前記制御器は、着火遅れの懸念がないときには、前記燃料の噴射態様を、主噴射の前に、前記燃焼室内に前記燃料を拡散させるための第１の前噴射と、前記燃焼室内にリッチ混合気を局所的に形成するための第２の前噴射とを順に行う前噴射を含む所定の噴射モードにし、
前記制御器は、前記燃焼室内の状態が、燃料の着火性が低くて着火遅れが長くなることが懸念される状態のときには、前記燃料の噴射態様を、着火遅れの懸念がないときの所定の噴射モードに対し、主噴射の前に行う第１の前噴射の回数を増やした第１噴射モードにし、
前記制御器は、前記燃焼室内に導入される吸気の目標酸素濃度と実酸素濃度との偏差が所定以上であって着火性の悪化により失火が懸念されるときには、前記燃料の噴射態様を、着火遅れの懸念がないときの所定の噴射モードに対し、前記第２の前噴射の回数を増やす第２噴射モードにするディーゼルエンジンの燃料噴射制御装置。
【請求項５】
請求項４に記載のディーゼルエンジンの燃料噴射制御装置において、
前記制御器は、前記第１噴射モードにおいて、着火性が低下して着火遅れが長くなるほど、前記前噴射の噴射量を増量すると共に、前記前噴射の内、第１の前噴射の増量率を、第２の前噴射の増量率よりも高くするディーゼルエンジンの燃料噴射制御装置。
【請求項６】
請求項４又は５に記載のディーゼルエンジンの燃料噴射制御装置において、
前記制御器は、前記第２噴射モードにおいて、前記目標酸素濃度と前記実酸素濃度との偏差が大きいほど失火の懸念が強まるとして、前記前噴射の噴射量を増量すると共に、前記前噴射の内、第２の前噴射の増量率を、第１の前噴射の増量率よりも高くするディーゼルエンジンの燃料噴射制御装置。
【請求項７】
請求項４〜６のいずれか１項に記載のディーゼルエンジンの燃料噴射制御装置において、
前記ディーゼルエンジン本体は、前記燃焼室の一部を構成すると共に、リエントラント形状のキャビティが形成されたピストンを有し、
前記燃料噴射弁は、
前記燃焼室内に前記燃料を拡散させるための第１の前噴射を、前記キャビティのリップ部付近に向かって噴射し、
前記燃焼室内にリッチ混合気を局所的に形成するための第２の前噴射を、前記キャビティ内に噴射するディーゼルエンジンの燃料噴射制御装置。
【請求項８】
請求項１〜７のいずれか１項に記載のディーゼルエンジンの燃料噴射制御装置において、
前記燃焼室内に圧縮空気を供給する過給機をさらに備え、
前記制御器は、前記目標酸素濃度と前記実酸素濃度との偏差、及び、目標過給圧と実過給圧との偏差に基づいて、前記第１噴射モードと前記第２噴射モードとを切り換えるディーゼルエンジンの燃料噴射制御装置。
【請求項９】
請求項１〜８のいずれか１項に記載のディーゼルエンジンの燃料噴射制御装置において、
前記制御器は、前記目標酸素濃度と前記実酸素濃度との偏差、及び、前記燃焼室の壁温に基づいて、前記第１噴射モードと前記第２噴射モードとを切り換えるディーゼルエンジンの燃料噴射制御装置。
【請求項１０】
請求項１〜９のいずれか１項に記載のディーゼルエンジンの燃料噴射制御装置において、
前記制御器は、前記目標酸素濃度と前記実酸素濃度との偏差、外気温度、及び前記ディーゼルエンジン本体の冷却水温度に基づいて、前記第１噴射モードと前記第２噴射モードとを切り換えるディーゼルエンジンの燃料噴射制御装置。
【請求項１１】
請求項１〜１０のいずれか１項に記載のディーゼルエンジンの燃料噴射制御装置において、
前記制御器は、前記実酸素濃度の高低に応じて、当該実酸素濃度が低いほど燃料の着火性が低下すると判断して、前記第１噴射モードから前記第２噴射モードに切り換わりやすくなるよう切換閾値を下げるディーゼルエンジンの燃料噴射制御装置。
【発明の詳細な説明】
【技術分野】
【０００１】
ここに開示する技術は、ディーゼルエンジンの燃料噴射制御装置に関する。
【背景技術】
【０００２】
特許文献１には、ターボ過給機と、排気通路におけるタービンの上流側から取った排気ガスを吸気通路におけるコンプレッサの下流に導入する高圧ＥＧＲシステムとを備えたディーゼルエンジンにおいて、主噴射の前に前噴射を行うことによって、着火遅れ時間を調整して燃焼音の抑制を図ることが記載されている。また、特許文献１には、エンジンの過渡運転時において、シリンダ内に導入される吸気の酸素濃度と、目標の酸素濃度とのずれに応じて前噴射の噴射時期及び噴射量を変更することにより、燃焼音の悪化を抑制することが記載されている。
【先行技術文献】
【特許文献】
【０００３】
【特許文献１】特開２０１１−９９３４４号公報
【発明の概要】
【発明が解決しようとする課題】
【０００４】
ところで、特許文献１に記載されている高圧ＥＧＲシステムとは異なり、排気通路におけるタービンの下流側から取った排気ガスを、吸気通路におけるコンプレッサの上流側に導入する低圧ＥＧＲシステムが知られている。低圧ＥＧＲシステムは、ターボ過給機による過給を行う運転領域においても、大量の排気ガスを吸気側に導入することが可能になる。これにより、燃焼温度の低減が図られるため、排気エミッション性能の向上、特にＮＯｘの排出低減に有利になる。
【０００５】
しかしながら、低圧ＥＧＲシステムは、その構造上、高圧ＥＧＲシステムと比較しても、エンジンの運転状態の変化に対する応答性が低いため、例えば加速時や減速時等の過渡運転時に、吸気酸素濃度が目標からずれてしまうと共に、そのずれ量も大きくなる可能性がある。吸気酸素濃度の目標からのずれによって着火性が低下する結果、着火遅れが長くなって燃焼音が悪化するだけでなく、最悪の場合、失火を招く虞がある。
【０００６】
ここに開示する技術は、かかる点に鑑みてなされたものであり、その目的とするところは、吸気酸素濃度の目標からのずれに応じて、ディーゼルエンジンにおける燃焼音の抑止乃至失火の回避を図ることにある。
【課題を解決するための手段】
【０００７】
ここに開示する技術は、ディーゼルエンジンの燃料噴射制御装置に係り、この装置は、ディーゼルエンジン本体と、前記ディーゼルエンジン本体の燃焼室内に燃料を噴射するよう構成された燃料噴射弁と、前記燃料噴射弁を通じた燃料の噴射態様を制御することによって、前記ディーゼルエンジン本体を運転するよう構成された制御器と、を備える。
【０００８】
そして、前記制御器は、前記燃焼室内に導入される吸気の目標酸素濃度と実酸素濃度との偏差が第１所定以上になって着火性が低下したときには、前記燃料の噴射態様を、主噴射の前に、第１、第２及び第３の噴射を順に行う前噴射を含む第１噴射モードにし、前記制御器は、前記偏差が第２所定以上になって着火性がさらに低下したときには、前記燃料の噴射態様を、前記第１噴射モードに対して、少なくとも第２及び第３の噴射を遅角させると共に、第２の噴射の遅角量を、第３の噴射の遅角量よりも大きくした第２噴射モードにする。
【０００９】
この構成によると、吸気の目標酸素濃度と実酸素濃度との偏差が第１所定以上となって着火性が低下したとき、例えば加速過渡時等において、ＥＧＲシステム（特に低圧ＥＧＲシステム）の低い応答性に起因して前記偏差が大きくなったときには、燃料の噴射態様を、主噴射の前に、第１、第２及び第３の噴射を順に行う前噴射を含む第１噴射モードにする。
【００１０】
複数回の前噴射の内、相対的に先に行う噴射（少なくとも第１の噴射）は主噴射から離れて行う噴射となるため、燃焼室内に燃料が拡散するようになる。これに対し、相対的に後に行う噴射（少なくとも第３の噴射）は主噴射の近くで行うため、燃焼室内に局所的にリッチな混合気を形成する。第１、第２及び第３の噴射を順に行うことで、燃焼室内に燃焼を拡散させつつ、局所的にリッチな混合気を形成することができ、主噴射によって噴射される燃料の着火性が高まる。その結果、着火遅れが長くなることが回避されて、燃焼音の増大が回避される。
【００１１】
また、前記偏差が第２所定以上になって燃料の着火性がさらに低下したときには、燃料の噴射態様を、第１噴射モードに対して、少なくとも第２及び第３の噴射を遅角させると共に、第２の噴射の遅角量を、第３の噴射の遅角量よりも大きくした第２噴射モードにする。第２の噴射は、その噴射時期が比較的早い時期に設定される場合（つまり、第1噴射モードの場合）は、「相対的に先に行う噴射」になって、局所的にリッチな混合気の周囲に、それよりもリーンな混合気を形成するようになる。しかしながら、第２噴射モードのように、第２の噴射の噴射時期を大きく遅角することにより、当該第２の噴射は、「相対的に後に行う噴射」となって、燃焼室内に局所的にリッチな混合気を形成することに寄与する。第２噴射モードでは、第２及び第３の２回の噴射により、シリンダ内に形成される局所的にリッチな混合気の範囲が拡大する。その結果、第２噴射モードでは、第１噴射モードと比較して着火性がさらに向上することになる。つまり、吸気の目標酸素濃度と実酸素濃度との偏差が第２所定以上になって着火性がさらに低下したときに、燃焼音の抑制及び失火の回避が可能になる。
【００１２】
前記制御器は、前記第１噴射モードにおいて、前記偏差が大きくなるほど、前記前噴射の噴射量を増量すると共に、前記前噴射の複数回の噴射の内、第２の噴射の増量率を、第１及び第３の噴射の増量率よりも高くする、としてもよい。
【００１３】
前噴射の噴射量を増量することにより      着火性が向上して、着火遅れが長くなってしまうことが回避される。また、第１噴射モードの選択時は、燃焼室内の着火性は、第２噴射モードの選択時よりも高いため、着火性の向上効果は相対的に低いことが許容される。そこで、第１噴射モードにおいて偏差が大きくなるほど、前噴射の内、第２の噴射の燃料噴射量の増量率を、他の噴射の燃料噴射量の増量率よりも高くする。つまり、第１、第２及び第３の噴射の内の、第２の噴射の噴射量を最も増やす。第２の噴射は、第１噴射モードでは、局所的にリッチな混合気の周囲に相対的にリーンな混合気を形成するため、第２の噴射の噴射量を増やすことにより、煤の発生を抑制しつつ、燃料の着火性を適度に向上させて、適切な着火遅れに調整することが可能になる。
【００１４】
前記制御器は、前記第２噴射モードにおいて、前記偏差が大きくなるほど、前記前噴射の噴射量を増量すると共に、前記前噴射の複数回の噴射の内、第３の噴射の増量率を、第１及び第２の噴射の増量率よりも高くする、としてもよい。
【００１５】
第２噴射モードの選択時は、燃焼室内の着火性が、第１噴射モードの選択時よりも低く、前噴射による着火性の向上効果として、高い効果が要求される。第２噴射モードにおいて、燃料の着火性が低くなるほど、前噴射の噴射量を増量することにより、着火性が高まるが、複数回の噴射の内、第３の噴射の増量率を、第１及び第２の噴射の増量率よりも高くする。主噴射に近い時期に行う噴射の噴射量を増やすことによって、煤の発生には不利になるものの、燃焼室内に、局所的にリッチな混合気を十分に形成することが可能になる。その結果、燃料の着火性を高めて、燃焼音の抑制及び失火の回避が、確実に可能になる。
【００１６】
ここに開示するディーゼルエンジンの燃料噴射制御装置は、ディーゼルエンジン本体と、前記ディーゼルエンジン本体の燃焼室内に燃料を噴射するよう構成された燃料噴射弁と、前記燃料噴射弁を通じた燃料の噴射態様を制御することによって、前記ディーゼルエンジン本体を運転するよう構成された制御器と、を備える。
【００１７】
そして、前記制御器は、着火遅れの懸念がないときには、前記燃料の噴射態様を、主噴射の前に、前記燃焼室内に前記燃料を拡散させるための第１の前噴射と、前記燃焼室内にリッチ混合気を局所的に形成するための第２の前噴射とを順に行う前噴射を含む所定の噴射モードにし、前記燃焼室内の状態が、燃料の着火性が低くて着火遅れが長くなることが懸念される状態のときには、前記燃料の噴射態様を、着火遅れの懸念がないときの所定の噴射モードに対し、主噴射の前に行う第１の前噴射の回数を増やした第１噴射モードにする。
【００１８】
前記制御器はまた、前記燃焼室内に導入される吸気の目標酸素濃度と実酸素濃度との偏差が所定以上であって着火性の悪化により失火が懸念されるときには、前記燃料の噴射態様を、着火遅れの懸念がないときの所定の噴射モードに対し、前記第２の前噴射の回数を増やす第２噴射モードにする。
【００１９】
この構成によると、燃焼室内の状態が、着火遅れの懸念がないときには、燃焼室内に燃料を拡散させるための第１の前噴射と、燃焼室内にリッチ混合気を局所的に形成するための第２の前噴射とを順に行う。これにより、第２の前噴射の後に行う主噴射により噴射された燃料は、適切なタイミングで着火して燃焼する。
【００２０】
これに対し、燃焼室内の状態が、燃料の着火性が低くて着火遅れが長くなることが懸念される状態のときには、着火遅れの懸念がないときの、前記所定の噴射モードに対し、第１の前噴射の回数を増やした第１噴射モードにする。ここで、第１噴射モードは、例えば加速時等の過渡運転時において選択される場合の他、定常運転時であっても、エンジン回転数とエンジン負荷とに応じて定まるエンジンの運転状態により、燃焼室内の状態が、燃料の着火性が低くなるような状態であれば選択され得る。
【００２１】
第１の前噴射は、燃焼室内に燃料を拡散させるための噴射であるため、着火性の向上効果は、相対的に（つまり、第２の前噴射と比べて）低い一方で、煤の排出は、第２の前噴射と比べて抑制される。第１噴射モードは、着火遅れが長くなることが懸念される状態のときの噴射モードであり、燃焼室内の状態としては、後述する失火が懸念される状態のときよりも、着火性は高い。そこで、第１の前噴射の回数増やした第１噴射モードとすることにより、煤の発生を抑制しながら、燃料の着火性を適度に向上させて、着火遅れが長くなることが未然に回避される。その結果、着火遅れが長くなって燃焼音が大きくなってしまうことが回避される。
【００２２】
これに対し、燃焼室内に導入される吸気の目標酸素濃度と実酸素濃度との偏差が所定以上になって、着火性の悪化により失火が懸念されるときには、燃料の噴射態様を第２噴射モードにする。例えば加速時等の過渡運転時には、吸気の目標酸素濃度と実酸素濃度との偏差が所定以上になり得る。ＥＧＲシステム、特に応答性の低い低圧ＥＧＲシステムによって排気ガスを吸気に導入している運転状態での過渡運転時には、吸気の目標酸素濃度と実酸素濃度との偏差が所定以上になりやすい。
【００２３】
第２噴射モードは、着火遅れの懸念のないときの所定の噴射モードに対して、第２の前噴射の回数を増やした噴射モードである。第２の前噴射は、燃焼室内にリッチ混合気を局所的に形成するための噴射であり、主噴射により噴射される燃料の着火性を高める効果が、第１の前噴射よりも高い。従って、失火が懸念されるときに第２噴射モードを選択することによって、失火を回避して確実かつ安定的に燃焼を行うことが可能になる。
【００２４】
こうして、着火性の高低に応じて、所定の噴射モード、第１噴射モード及び第２噴射モードを切り換えることにより、煤の発生をできるだけ抑制しながら、燃焼音の低減、及び、失火の回避が実現する。
【００２５】
前記制御器は、前記制御器は、前記第１噴射モードにおいて、着火性が低下して着火遅れが長くなるほど、前記前噴射の噴射量を増量すると共に、前記前噴射の内、第１の前噴射の増量率を、第２の前噴射の増量率よりも高くする、としてもよい。
【００２６】
前噴射の噴射量を増量することは燃料の着火性を向上させるから、燃焼音の低減に有利になる。また、複数回の前噴射の内、第１の前噴射の増量率を、第２の前噴射の増量率よりも高くする、つまり、燃焼室内に燃料を拡散させるための噴射量を多くすることによって、着火性の向上効果は相対的に低くなるものの、煤の発生は抑制される。第１噴射モードの選択時は、第２噴射モードの選択時よりも、燃焼室内の状態として着火性は高い状態であるため、第１の前噴射の噴射量を多くすることは、煤の発生を抑制しつつ、着火遅れ時間を適切に調整することを可能にする。
前記制御器は、前記第２噴射モードにおいて、前記目標酸素濃度と前記実酸素濃度との偏差が大きいほど失火の懸念が強まるとして、前記前噴射の噴射量を増量すると共に、前記前噴射の内、第２の前噴射の増量率を、第１の前噴射の増量率よりも高くする、としてもよい。
【００２７】
第２噴射モードの選択時には、失火の懸念があるため、失火を確実に回避する必要がある。また、前噴射の内、第１の前噴射は、煤の発生を抑制し得るもの、着火性の向上効果は相対的に低いのに対し、第２の前噴射は、煤の発生を相対的に招き得るものの、燃焼室内に、局所的にリッチな混合気を形成することで着火性の向上効果が高い。
【００２８】
そこで、第２噴射モードにおいて、目標酸素濃度と前記実酸素濃度との偏差が大きいときには、前噴射の噴射量を増量すると共に、第２の前噴射の増量率を、第１の前噴射の増量率よりも高める。こうすることで、失火の懸念が強まったときには着火性を十分に高めて、失火を確実に回避することが可能になる。
【００２９】
前記ディーゼルエンジン本体は、前記燃焼室の一部を構成すると共に、リエントラント形状のキャビティが形成されたピストンを有し、前記燃料噴射弁は、前記燃焼室内に前記燃料を拡散させるための第１の前噴射を、前記キャビティのリップ部付近に向かって噴射し、前記燃焼室内にリッチ混合気を局所的に形成するための第２の前噴射を、前記キャビティ内に噴射する、としてもよい。
【００３０】
キャビティのリップ部付近に向かって燃料を噴射することにより、燃料は、キャビティ内の比較的広い範囲に亘って燃料が拡散する。つまり、第１の前噴射により、燃焼室内に比較的リーンな混合気を形成することが可能になる。
【００３１】
これに対し、キャビティ内に燃料を噴射することにより、燃料噴霧はキャビティの内壁に沿って移動をして、キャビティの開口部付近（リップ部付近）に到達するようになる。つまり、第２の前噴射により、燃焼室内に局所的にリッチな混合気を形成することが可能になる。
【００３２】
前記ディーゼルエンジンの燃料噴射制御装置は、前記燃焼室内に圧縮空気を供給する過給機をさらに備え、前記制御器は、前記目標酸素濃度と前記実酸素濃度との偏差、及び、目標過給圧と実過給圧との偏差に基づいて、前記第１噴射モードと前記第２噴射モードとを切り換える、としてもよい。
【００３３】
目標過給圧と実過給圧の偏差が大きいときには、燃焼室内の状態としては、着火性が低い状態になる。このため、目標酸素濃度と実酸素濃度との偏差と、目標過給圧と実過給圧との偏差との双方に基づいて、第１噴射モードと第２噴射モードとの切り換えを行うことで、着火遅れが長くなることによる燃焼音の増大、及び、失火の回避が共に実現する。
【００３４】
前記制御器は、前記目標酸素濃度と前記実酸素濃度との偏差、及び、前記燃焼室の壁温に基づいて、前記第１噴射モードと前記第２噴射モードとを切り換える、としてもよい。
【００３５】
燃焼室の壁温もまた、燃料の着火性に関係し、壁温が高い方が着火性は高まる。そこで、目標酸素濃度と前記実酸素濃度との偏差と、燃焼室の壁温との双方に基づいて、第１噴射モードと第２噴射モードとの切り換えを行うことにより、着火遅れが長くなることによる燃焼音の増大、及び、失火の回避が共に実現する。
【００３６】
前記制御器は、前記目標酸素濃度と前記実酸素濃度との偏差、外気温度、及び前記ディーゼルエンジン本体の冷却水温度に基づいて、前記第１噴射モードと前記第２噴射モードとを切り換える、としてもよい。
【００３７】
外気温度、及び、ディーゼルエンジン本体の冷却水温は、燃焼室内の温度状態に関係し、燃料の着火性に影響を与える。つまり、外気温度が低いほど、また、冷却水温が低いほど着火性は低下する。
【００３８】
そこで、目標酸素濃度と実酸素濃度との偏差、外気温度、及び冷却水温度に基づいて、第１噴射モードと第２噴射モードとの切り換えを行うことで、着火遅れが長くなることによる燃焼音の増大、及び、失火の回避が共に実現する。
【００３９】
前記制御器は、前記実酸素濃度の高低に応じて、当該実酸素濃度が低いほど燃料の着火性が低下すると判断して、前記第１噴射モードから前記第２噴射モードに切り換わりやすくなるよう切換閾値を下げる、としてもよい。
【００４０】
吸気の実酸素濃度が低いほど、燃料の着火性は低下し得るから、実酸素濃度が低いほど、第１噴射モードよりも、着火性の向上効果の高い第２噴射モードを選択することが、燃焼音の抑制及び失火の回避を実現する上で有利になる。前記の構成のように、吸気の実酸素濃度が低いほど切換閾値を下げることで、第１噴射モードから第２噴射モードへ切り換わりやすくなり、燃焼音の抑制及び失火の回避を確実に行うことが可能になる。
【発明の効果】
【００４１】
以上説明したように、前記のディーゼルエンジンの噴射制御装置によると、吸気酸素濃度の目標からのずれに応じて、第１〜第３の噴射を行う前噴射を含む第１噴射モードと、第１噴射モードに対して第２及び第３の噴射を遅角させると共に、第２の噴射の遅角量を第３の噴射の遅角量よりも大きくした第２噴射モードとの切り換えを行うことにより、燃焼音の低減、及び、失火の回避が実現する。
【図面の簡単な説明】
【００４２】
【図１】ディーゼルエンジンの構成を示す概略図である。
【図２】エンジンの運転制御に係るマップの一例である。
【図３】燃料噴射態様の各パターンを例示する図である。
【図４】燃料噴射制御に係るフローチャートである。
【図５】加速過渡時における、燃料噴射量の変化と、実酸素濃度及び目標酸素濃度の変化の一例を示すタイムチャートである。
【図６】所定の運転領域における燃料噴射態様の変更に係るマップの例示であり、（ａ）実酸素濃度が高いとき、（ｂ）酸素濃度が中のとき、（ｃ）酸素濃度が低いときである。
【図７】図６とは異なる運転領域における燃料噴射態様の変更に係るマップの例示であり、（ａ）実酸素濃度が高いとき、（ｂ）酸素濃度が中のとき、（ｃ）酸素濃度が低いときである。
【図８】外気温と冷却水温とに基づく燃料噴射態様の補正マップの例示である。
【図９】シリンダ内の壁温に基づく燃料噴射態様の補正マップの例示である。
【図１０】（ａ）（ｂ）噴射態様の相違する前噴射によって形成される混合気の濃度状態の違いを比較する図である。
【発明を実施するための形態】
【００４３】
以下、ディーゼルエンジンの燃料噴射制御装置の実施形態を図面に基づいて説明する。以下の説明は例示である。図１は、実施形態に係るエンジンシステム１の構成を示すブロック図である。このエンジンシステム１は、車両に搭載されると共に、軽油を主成分とした燃料が供給されるディーゼルエンジンのシステムである。
【００４４】
エンジン本体（以下、単にエンジンという）１０は、図１では１つのみ示すが、複数のシリンダ１１を有している。各シリンダ１１には、図示を省略するクランク軸に連結されたピストン１２が嵌挿していると共に、シリンダ１１内に燃料を噴射するインジェクタ２１が設けられている。
【００４５】
ピストン１２の冠面には、図１０にのみ示すように、燃焼室の一部を構成するキャビティ１２１が形成されている。このキャビティ１２１は、いわゆるリエントラント形状を有している。具体的に、キャビティ１２１の開口部は相対的に小径であって、その開口縁部は、径方向の内方に向かって突出する環状のリップ部１２２を形成していると共に、キャビティ１２１の底部は、径方向の外方から中央に向かって隆起する山部１２３を備えて構成されている。こうして、キャビティ１２１の横断面形状は、全体としてω形状を成すようになっている。
【００４６】
インジェクタ２１は、図１０に示すように、シリンダ１１の中心軸上に配設されている。インジェクタ２１の先端には、図示は省略するが、複数の噴射孔が周方向に所定の間隔を空けて配設されており、インジェクタ２１は、各噴射孔を通じて、シリンダ１１内、より正確には、キャビティ１２１内に向かって、放射状に燃料を噴射する（図１０（ｂ）の矢印参照）。
【００４７】
エンジン１０には、シリンダ１１毎に吸気ポート及び排気ポートが形成されていると共に、これら吸気ポート及び排気ポートに、ポートを開閉する吸気弁１５及び排気弁１６が配設されている。吸気弁１５及び排気弁１６を駆動する動弁系には、少なくとも吸気弁１５の開弁時期及び排気弁１６の開弁時期を変更可能な動弁機構２２が設けられている。
【００４８】
各シリンダ１１の吸気ポートは、図１において明示されない吸気マニホールドを介して吸気通路３０に連通している。また、各シリンダ１１の排気ポートは、同様に明示されない排気マニホールドを介して排気通路４０に連通している。
【００４９】
吸気通路３０には、ターボ過給システム６の大型コンプレッサ６１１及び小型コンプレッサ６２１と、該コンプレッサ６１１，６２１により圧縮された空気を冷却するインタークーラ３１と、各シリンダ１１への吸入空気量を調節するスロットル弁３２とが、上流から下流に向かって順に配設されている。
【００５０】
排気通路４０には、ターボ過給システムの小型タービン６２２及び大型タービン６１２と、排気ガス中の有害成分を浄化する酸化触媒及び排気ガス中の粒子状物質を捕捉するディーゼルパティキュレートフィルタ（ＤＰＦ）を含む排気浄化装置４１と、排気シャッター弁４２とが、上流から下流に向かって順に配設されている。
【００５１】
吸気通路３０における小型コンプレッサ６２１の下流側部分（より正確には、スロットル弁３２の下流側部分）と、排気通路４０における小型タービン６２２の上流側部分とは、排気ガスの一部を吸気通路３０に還流するための高圧ＥＧＲ通路５１０によって接続されている。高圧ＥＧＲ通路５１０は、主通路５１１と、主通路５１１に対して並列に設けられたクーラバイパス通路５１２とを含んで構成されている。主通路５１１には、排気ガスの吸気通路３０への還流量を調整するための高圧ＥＧＲ弁５１３及び排気ガスを冷却するためのＥＧＲクーラ５１４が配設され、クーラバイパス通路５１２には、このクーラバイパス通路５１２を流通する排気ガスの流量を調整するためのクーラバイパス弁５１５が配設されている。これら高圧ＥＧＲ通路５１０、高圧ＥＧＲ弁５１３及びクーラバイパス弁５１５、並びにＥＧＲクーラ５１４を含んで、高圧ＥＧＲシステム５１が構成される。
【００５２】
また、吸気通路３０における大型コンプレッサ６１１の上流側部分と、排気通路４０における大型タービン６１２の下流側部分（より正確には、排気浄化装置４１と排気シャッター弁４２との間）とは、排気ガスの一部を吸気通路３０に還流するための低圧ＥＧＲ通路５２０によって接続されている。この高圧ＥＧＲ通路５２０には、排気ガスの吸気通路３０への還流量を調整するための低圧ＥＧＲ弁５２１及び排気ガスを冷却するためのＥＧＲクーラ５２２が介設されている。
【００５３】
排気シャッター弁４２は、排気通路４０において低圧ＥＧＲ通路５２０の接続部よりも下流側に配設されている。排気シャッター弁４２は、その開度を調整することが可能な流量調整弁であり、排気シャッター弁４２を閉じ側にすることによって、通過する流量が低減して、低圧ＥＧＲ通路５２０の排気通路４０側の圧力を、吸気通路３０側の圧力に対して相対的に高めることが可能になる。低圧ＥＧＲ通路５２０と低圧ＥＧＲ弁５２１とＥＧＲクーラ５２２と排気シャッター弁４２とを含んで、低圧ＥＧＲシステム５２が構成される。
【００５４】
ターボ過給システム６は、大型ターボ過給機と小型ターボ過給機とを含む２ステージターボ過給機によって構成されている。大型ターボ過給機は、相対的に大型のものであり、小型ターボ過給機は、相対的に小型のものである。
【００５５】
大型ターボ過給機は、吸気通路３０に配設された大型コンプレッサ６１１と、排気通路４０に配設された大型タービン６１２とを有し、大型コンプレッサ６１１と大型タービン６１２とは、図１では図示を省略するが、互いに連結されている。
【００５６】
小型ターボ過給機は、吸気通路３０に配設された小型コンプレッサ６２１と、排気通路４０に配設された小型タービン６２２とを有し、小型コンプレッサ６２１と小型タービン６２２とは、図１では図示を省略するが、互いに連結されている。小型コンプレッサ６２１は、吸気通路３０における大型コンプレッサ６１１の下流側に配設されている。一方、小型タービン６２２は、排気通路４０における大型タービン６１２の上流側に配設されている。すなわち、吸気通路３０においては、上流側から順に大型コンプレッサ６１１と小型コンプレッサ６２１とが直列に配設され、排気通路４０においては、上流側から順に小型タービン６２２と大型タービン６１２とが直列に配設されている。これら大型及び小型タービン６１２，６２２が排気ガス流により回転し、それによって、大型及び小型コンプレッサ６１１，６２１がそれぞれ作動する。
【００５７】
尚、図１に図示しないが、吸気通路３０には、小型コンプレッサ６２１をバイパスする吸気バイパス通路が接続され、この吸気バイパス通路には、そこを流れるガス量を調整するためのバイパスバルブが配設されている。一方、排気通路４０には、小型タービン６２２をバイパスする小型排気バイパス通路と、大型タービン６１２をバイパスする大型排気バイパス通路とが接続されており、小型排気バイパス通路４５には、そこを流れるガス量を調整するためのレギュレートバルブが配設され、大型排気バイパス通路４６には、そこを流れるガス量を調整するためのウエストゲートバルブが配設されている。
【００５８】
また、ターボ過給システム６は、２ステージターボ過給機に限らず、これに代えて、一つのタービン及び一つのコンプレッサを有するシングルターボ過給機によってターボ過給システム６を構成することも可能である。また、シングルターボ過給機及び２ステージターボ過給機に拘わらず、ターボ過給機は、可変ベーン付きのＶＧＴとしてもよい。
【００５９】
符号１００は、エンジンシステム１を制御するコントロールユニットである。コントロールユニット１００は、周知のマイクロコンピュータをベースとするコントローラであって、プログラムを実行する中央演算処理装置（ＣＰＵ）と、例えばＲＡＭやＲＯＭにより構成されてプログラム及びデータを格納するメモリと、電気信号の入出力をする入出力（Ｉ／Ｏ）バスと、を備えている。
【００６０】
コントロールユニット１００には、エンジン１０の回転数を検出するエンジン回転数センサ７１、アクセル開度を検出するアクセル開度センサ７２、エンジン１０の冷却水温を検出する水温センサ７３の各センサが接続されている。
【００６１】
吸気通路３０上には、吸気通路３０を流れる新気の流量（及び温度）を検出するエアフローセンサ７４が配設されており、エアフローセンサ７４は、検出した流量及び外気温度をコントロールユニットに出力する（図１の破線の矢印参照）。
【００６２】
また、吸気通路３０、排気通路４０、高圧ＥＧＲ通路５１０及び低圧ＥＧＲ通路５２０における所定の箇所には、温度を検出する温度センサ、圧力を検出する圧力センサが配設されている。各センサは、コントロールユニット１００に接続されており、その検出値をコントロールユニット１００に出力する（図１の破線の矢印参照）。
【００６３】
ここで、温度センサとしては、吸気通路３０において、インタークーラ３１の下流におけるガス温度を検出するセンサ８１、吸気マニホールド内のガス温度を検出するセンサ８２、高圧ＥＧＲ通路５１０内におけるガス温度を検出するセンサ８３、を含んでいる。また、圧力センサとしては、吸気マニホールド内の圧力を検出するセンサ（つまり、吸気圧センサ）９１を含んでいる。さらに、排気浄化装置４１の下流側には、排気ガスの酸素濃度を検出するＯ２センサ９２が配設されており、Ｏ２センサ９２もまた、その検出値をコントロールユニット１００に出力する。
【００６４】
そして、コントロールユニット１００は、前述した各センサ等からの信号に基づいて、エンジン１０の運転状態を判断し、少なくとも、インジェクタ２１、動弁機構２２、スロットル弁３２、排気シャッター弁４２、高圧ＥＧＲ弁５１３、クーラバイパス弁５１５、及び、低圧ＥＧＲ弁５２１を制御する。
【００６５】
図２は、エンジン１０の運転制御に係るマップの一例である。このマップは、インジェクタ２１を通じた燃料の噴射態様に関するマップであって、エンジン回転数及びエンジン負荷に応じて、複数の領域に区画されている。複数の領域の内、エンジン回転数が低回転側でかつ、エンジン負荷が低負荷（但し、軽負荷を除く）の領域（１）は、比較的早い時期に燃料をシリンダ１１内に噴射し、圧縮上死点付近で燃焼させるような予混合燃焼を行う領域である。この予混合燃焼を行う領域以外の領域（２）〜（７）は、圧縮上死点付近において、トルクの発生に寄与する主噴射を実行するような拡散燃焼を行う領域である。拡散燃焼を行う領域では、エンジン１０の回転数及び負荷で規定される運転状態に応じて、燃焼室内の状態、詳細には燃料の着火性の高低が相違する。図２に示すマップにおいて全開負荷を除く領域（２）〜（６）については、例えば領域（４）が最も着火性が高く、領域（６）、（５）、（３）の順で着火性が低くなり、領域（２）が最も着火性が低い領域となる。このエンジンシステム１では、燃料の着火性の高低に対応して、所定の着火遅れで、燃料が着火するように、着火性を段階的に向上させるような、複数の燃料噴射パターンが予め設定されており、図２に示すマップの拡散燃焼を行う領域（２）〜（６）のそれぞれについて、適切な燃料噴射パターンが割り当てられている。こうして、領域（２）〜（６）のそれぞれで、過早着火を回避すると共に、着火遅れ時間が長くなって燃焼音が増大することを回避するようにしている。燃料噴射態様の各パターンについては、後述する。
【００６６】
図示は省略するが、図２に示すマップの実質的に全領域において、小型ターボ過給機及び／又は大型ターボ過給機が作動をする。さらに、エンジン１０の全開負荷を含む領域（７）を除く各領域では、高圧ＥＧＲシステム５１及び／又は低圧ＥＧＲシステム５２により、排気ガスが吸気通路３０に導入されている。尚、排気ガスの導入量は、エンジン１０の運転状態によって相違する。エンジン１０の負荷が相対的に高い領域においては特に、低圧ＥＧＲシステム５２によって排気ガスが吸気通路３０に導入されている。低圧ＥＧＲシステム５２は、排気通路４０におけるタービン６１２、６２２の下流側から排気ガスを取って、吸気通路３０に導入するため、ターボ過給機の回転数を低下させることなく、排気ガスを還流させることが可能である。このエンジン１０では、ターボ過給システム６と、高圧及び低圧ＥＧＲシステム５１、５２とが共に作動をする運転状態が存在している。負荷の高い領域においても排気ガスを還流することにより、燃焼温度を低くしてＮＯｘの低減に有利になる。
【００６７】
ところで、エンジン１０の運転状態が変化する、例えば加速過渡時や減速過渡時には、燃焼室内に導入される吸気の酸素濃度（ＣＣＬＤ）が、目標の酸素濃度よりも低くなり、その結果、燃焼室内の状態が、一時的に、着火性が低下した状態になる場合がある。その場合に、当該運転領域に対して設定されている燃料噴射パターンで燃料を噴射しても、所望の着火性が確保できずに、着火遅れが長くなったり、また、失火を招いたりする虞がある。
【００６８】
そこで、このエンジンシステム１では、燃焼室内の状態、つまり着火性の高低に応じて、当該運転領域に対して設定されている燃料噴射パターンを選択するのではなく、予め設定されている複数の噴射パターンの中から最適な噴射パターンを選択することによって、特に加速過渡時には、着火遅れが長くなって燃焼音が増大してしまうことや、失火が生じてしまうことを回避すると共に、特に減速過渡時には、過早着火が生じてしまうことを回避するようにしている。
【００６９】
図３（ａ）〜（ｅ）は、このエンジンシステム１において予め設定されている燃料噴射態様の各パターン、つまり、燃料の噴射時期と燃料噴射量と例示している。図３に示すパターン１からパターン５の５つの燃料噴射パターンは、着火性の向上効果が相違しており、パターン５は着火性の向上効果が最も高く（効果ＡＡＡ）、従って、燃焼室内の状態が、着火性が比較的低いときに適しており、パターン４、３、２の順で着火性の向上効果が低下し、パターン１は着火性の向上効果が最も低い（効果Ｃ）。パターン１は、燃焼室内の状態が、着火性が比較的高いときに適している。
【００７０】
パターン１からパターン５の内、図３（ｃ）に示すパターン３は、図２のマップにおける領域（５）における噴射パターンに相当し、図３（ｄ）に示すパターン２は、図２のマップにおける領域（６）における噴射パターンに相当する。
【００７１】
領域（６）は、エンジン負荷が比較的高くかつ、エンジン回転数が中速の領域であり、燃焼室内の状態としては、燃料の着火性が若干低いものの、着火遅れが長くなる懸念はない状態である。そこで、着火性を若干高めるべく、この領域（６）においては、図３（ｄ）に示すように、パイロット噴射２−１、プレ噴射２−２、メイン噴射２−３及びアフタ噴射２−４の４回の燃料噴射を実行する。この内、メイン噴射２−３はトルクの発生に寄与する主噴射に対応し、パイロット噴射２−１及びプレ噴射２−２は、燃料の着火性の向上に寄与する前噴射に対応し、アフタ噴射２−３は、煤の低減に寄与する後噴射に対応する。
【００７２】
パターン２は、前噴射として、比較的噴射量の少ないパイロット噴射２−１（噴射量「中」）と、比較的噴射量の少ないプレ噴射２−２（噴射量「小小」）とを行う。前述の通り、領域（６）は、着火遅れが長くなる懸念はないため、要求される着火性向上効果は、比較的低い（つまり、向上効果Ｂ）。よって、前噴射の噴射量は、後述するパターン３よりも少なくする。
【００７３】
パイロット噴射２−１は、比較的に早い時期に噴射を行うため、キャビティ１２１のリップ部１２２に向かって燃料を噴射することになり、燃焼室内に燃焼を拡散させることになる。これに対し、プレ噴射２−２は、比較的遅い時期に噴射を行うため、キャビティ１２１の山部１２３の斜面から麓に向かって燃料を噴射することになる。燃料は、キャビティ１２１の底面及び側面に沿って移動をしてリップ部１２２の付近にまで移動し、そこに比較的リッチな混合気を、局所的に生成する。こうして、パターン２では、燃焼室内に燃料を拡散させると共に、局所的にリッチな混合気を形成し、それが火種となって、着火性が向上する。
【００７４】
これに対し、図３（ｃ）に示すパターン３は、前述したように、図２における領域（５）の噴射パターンである。領域（５）は、領域（６）よりも低負荷側の領域であり、エンジン１０の運転領域の全体においては、中負荷でかつ、低速乃至中速の領域に相当する。燃焼室内の状態は、領域（６）よりも、着火性が低くなる状態であるが、着火遅れが長くなる懸念はない。そこで、この領域（５）では、燃料噴射パターンとして、着火性向上効果が相対的に高い（つまり、向上効果Ａ）パターン３を選択する。パターン３は、パイロット噴射３−１及びプレ噴射３−２を含む前噴射の噴射量が、パターン２よりも増えている。また、パイロット噴射３−１及びプレ噴射３−２それぞれの噴射量を、パターン２のパイロット噴射２−１及びプレ噴射２−２よりも増やすものの（パイロット噴射は、噴射量「中」から「大」に、プレ噴射は、噴射量「小小」から「小」に増やす）、その内でも、パイロット噴射の噴射量の増量率を、プレ噴射の噴射量の増量率よりも大にする。領域（５）は、領域（６）と比較して着火性が低くなるものの、着火遅れが長くなる懸念はない。そこで、パターン３では、パターン２に対してパイロット噴射及びプレ噴射それぞれの噴射量を増やして着火性を高める一方で、パイロット噴射の噴射量を相対的に増やし、プレ噴射の噴射量はそれほど増やさないことで煤の発生を抑制する。こうして、着火性を適度に高める。これは、煤の発生を抑制しつつ、燃焼音の増大を回避する。尚、パターン２とパターン３とを比較したときに、パイロット噴射の噴射時期と、プレ噴射の噴射時期とは互いに同じである。
【００７５】
図３（ｂ）に示すパターン４は、着火性の向上効果が、パターン３よりも高い（つまり、向上効果ＡＡ）噴射パターンである。従って、パターン４は、燃焼室内の状態が、着火性がさらに低い状態において選択される噴射パターンであり、着火性の程度としては、着火遅れが長くなることが懸念される状態である。パターン４では、パイロット噴射４−１、１回目のプレ噴射４−２、２回目のプレ噴射４−３、メイン噴射４−４及びアフタ噴射４−５の５回の燃料噴射を実行する。パターン４は、前噴射の回数が、パターン２及びパターン３よりも増えている。また、パターン４は、パイロット噴射４−１の開始時期が、パターン３のパイロット噴射３−１よりも遅角していると共に、２回目のプレ噴射４−３の開始時期が、パターン３のプレ噴射４−２よりも遅角している。パターン４は、前噴射の時期が、全体的に遅角しているということができる。尚、パイロット噴射４−１の噴射量は「中」、１回目のプレ噴射４−２の噴射量は「小」、２回目のプレ噴射４−３の噴射量は「小」にそれぞれ設定されている。
【００７６】
パターン４では、前噴射の回数を増やすことと、前噴射の時期を主噴射に近づけることによって、燃焼室内に、局所的にリッチでかつ火種となり得る混合気の周囲に、比較的リッチな（但し、火種となる混合気よりもリーンな）混合気層を設けることが可能になる。
【００７７】
図１０（ａ）は、パターン４によって前噴射を行ったときの、キャビティ１２１内の混合気の濃度分布を例示している。パイロット噴射４−１は、噴射時期が相対的に早いため、キャビティ１２１のリップ部１２２付近に向かって燃料が噴射される。これにより、キャビティ１２１内の比較的広い範囲に亘って燃料が拡散し、比較的リーンな混合気が形成される。
【００７８】
パターン４の２回目のプレ噴射４−３は、噴射時期が相対的に遅く、ピストン１２が上死点付近に位置するときに噴射される。従って、キャビティ１２１の底部における山部１２３の斜面から麓に向かって燃料が噴射される。噴射された燃料は、キャビティ１２１の底面や壁面に沿って移動をして、リップ部１２２の付近に到達し、比較的リッチな混合気を形成する。このリッチな混合気が火種となり得る。
【００７９】
パターン４の１回目のプレ噴射４−２は、パイロット噴射４−１と２回目のプレ噴射４−３との間で噴射されるため、２回目のプレ噴射４−３によって形成されることになるリッチな混合気（言い換えると火種となる混合気）の周囲に、それよりもリーンであるが、パイロット噴射４−１により形成される混合気よりもリッチな混合気層を形成することになる。この火種となる混合気の周囲に、比較的リッチな混合気層を形成することによって、パターン３やパターン２よりも、着火性を向上させることが可能になる。こうして、パターン４は、着火遅れが長くなる懸念のある状態でも、着火遅れが長くなることを回避して、所望の着火遅れを確保することを可能にする。ここで、パターン４における１回目のプレ噴射４−２は、火種とはならない点で、パイロット噴射４−１と同じである。パターン４において、パイロット噴射４−１及び１回目のプレ噴射４−２は、第１の前噴射ということができる。そうすると、パターン４は、パターン２及びパターン３と比較して、第１の前噴射の回数を増やした噴射モードである。
【００８０】
図３（ａ）に示すパターン５は、着火性の向上効果が、パターン４よりも高い（つまり、向上効果ＡＡＡ）噴射パターンである。パターン５は、着火性の向上効果が最も高く、燃焼室内の状態が、失火が懸念される状態のときに、選択される。パターン５では、パターン４と同様に、パイロット噴射５−１、１回目のプレ噴射５−２、２回目のプレ噴射５−３、メイン噴射５−４及びアフタ噴射５−５の５回の燃料噴射を実行する。パターン５は、パターン４と比較して、前噴射の噴射量が増えている。具体的には、パイロット噴射５−１の噴射量は「大」であり、１回目のプレ噴射５−２の噴射量は「中」であり、２回目のプレ噴射５−３の噴射量は「小」である。また、パターン５では、パイロット噴射５−１、プレ噴射５−２、５−３それぞれの噴射開始時期が、パターン４と比較して遅角している。このうちでも、１回目のプレ噴射５−２の遅角量が、２回目のプレ噴射５−３の遅角量よりも大きく設定されている。２回目のプレ噴射５−３の遅角量を制限することによってメイン噴射５−４との間隔をある程度確保し、煤の発生が抑制されると共に、１回目のプレ噴射５−２の遅角量を相対的に大きくして、１回目及び２回目のプレ噴射５−２、５−３を、メイン噴射５−４に近づけることにより、火種となるリッチ混合気の範囲を拡大している。      
【００８１】
図１０（ｂ）は、パターン５によって前噴射を行ったときの、キャビティ１２１内の混合気の濃度分布を例示している。パイロット噴射５−１は、噴射時期が相対的に早いため、パターン４と同様に、キャビティ１２１のリップ部１２２付近に向かって燃料が噴射される。これにより、キャビティ１２１内に燃料が拡散し、比較的リーンな混合気が形成される。
【００８２】
パターン５の２回目のプレ噴射５−３も、パターン４と同様に、キャビティ１２１の底部における山部１２３の斜面から麓に向かって燃料が噴射される（同図の矢印参照）。噴射された燃料は、キャビティ１２１の底面や壁面に沿って移動をして、リップ部１２２の付近に到達し、比較的リッチな混合気を形成する。
【００８３】
パターン５の１回目のプレ噴射５−２は、パターン４と比べて遅いタイミングで燃料を噴射する。このため、１回目のプレ噴射５−２も、２回目のプレ噴射５−３と同様に、キャビティ１２１の底部における山部１２３の斜面から麓に向かって燃料を噴射することになり、噴射された燃料は、キャビティ１２１の底面や壁面に沿って移動をして、リップ部１２２の付近に到達する。こうしてパターン５では、１回目のプレ噴射５−２及び２回目のプレ噴射５−３のそれぞれで噴射した燃料をリップ部１２２付近に集めて、火種となり得るリッチ混合気の範囲を拡大することができる。
【００８４】
つまり、１回目のプレ噴射は、パターン４では、燃焼室内に燃料を拡散させる噴射であるのに対し、パターン５では、火種を形成する目的の燃料噴射となり得る。従って、パターン５では、１回目のプレ噴射５−２及び２回目のプレ噴射５−３は、第２の前噴射ということができる。そうすると、パターン５は、パターン２及びパターン３と比較して、第２の前噴射の回数を増やした噴射モードである。こうして、パターン５では、着火性を最も向上させることが可能になる。
【００８５】
図３（ｅ）は、パターン１の噴射態様を示している。パターン１は、燃焼室内の状態が着火性の良い状態であり、条件によっては過早着火が懸念される状態である。そこで、パターン１では、前噴射として、圧縮上死点に近い時期に、１回のプレ噴射１−１のみを行い（つまり、パイロット噴射は行わない）、パターン２やパターン３と比較して、前噴射の噴射量を少なくしている。
【００８６】
尚、パターン１からパターン５において、メイン噴射の噴射量は、要求トルクに応じて設定される一方、噴射時期は、パターン１からパターン５に向かうに従い、次第に進角している（圧縮上死点に近づいている）。アフタ噴射の噴射量は、パターン１〜３では中であるのに対し、パターン４及び５では、それよりも少なくなっている。またアフタ噴射の噴射時期は、パターン１からパターン５において、ほぼ同じである。
【００８７】
次に、コントロールユニット１００が実行をする燃料噴射制御について、エンジン１０の運転例に従って、説明をする。図４は、燃料噴射制御に係るフローチャートである。図５は、エンジン１０の運転例を示しており、この運転例は、図５の上図に示すように、燃料噴射量が増大をする加速過渡時である。この例で、エンジン１０は、図２に示すマップの領域（５）を経由して領域（６）へと移行している。加速過渡時に経由する領域（５）においては、図５の下図に示すように、吸気酸素濃度ＣＣＬＤが、一時的に低下し、その後、領域（６）へ移行をして吸気酸素濃度ＣＣＬＤが高くなった後に、エンジン１０は定常状態になる。つまり、吸気酸素濃度を、高、中、低の３つに区分したとして、図５の例では、吸気酸素濃度が、加速開始後、高から中を経て低に至った後、再び中に戻って定常状態に至る（図５の下図の実線参照）。これに対し、目標の酸素濃度は、破線で示すように、加速開始後、高から中に緩やかに低下する。こうして、加速過渡時には、酸素濃度のアンダーシュートが生じ、図５の下図に実線で示す実際の酸素濃度と、破線で示す目標の酸素濃度との間に差異が生じる。
【００８８】
図４のフローにおいて、スタート後のステップＳ１では、コントロールユニット１００は、各種の信号を読み込む。具体的には、但し、これに限定されないが、アクセル開度センサ７２によるアクセル開度Ａｃｃ、エンジン回転数センサ７１によるエンジン回転数ＮＥ、エアフローセンサ７４による新気流量ＡＦＳ、吸気圧センサ９１による吸気圧力（過給圧力ＰＩＭ）、温度センサ８２による吸気温度Ｔａｉｒ、及び、水温センサ７３による冷却水温Ｔｗである。
【００８９】
続くステップＳ２では、ステップＳ１で読み込んだエンジン回転数ＮＥ及びアクセル開度Ａｃｃから、目標吸気酸素濃度を設定する。また、ステップＳ３では、トータルの吸気充填量（新気及び排気ガスを含む）、並びに、高圧ＥＧＲシステム５１及び低圧ＥＧＲシステム５２の制御履歴に基づいて、実際の吸気酸素濃度を推定する。そして、ステップＳ４では、ステップＳ２で設定した目標吸気酸素濃度と、ステップＳ３で推定した実際の吸気酸素濃度との偏差ΔＣＣＬＤを算出する（つまり、ΔＣＣＬＤ＝実酸素濃度−目標酸素濃度）。
【００９０】
ステップＳ５では、エンジン回転数ＮＥとアクセル開度Ａｃｃとから、目標過給圧を設定すると共に、続くステップＳ６で、目標過給圧と計測した過給圧ＰＩＭとの偏差ΔＰＩＭを算出する（つまり、ΔＰＩＭ＝目標過給圧−実過給圧）。
【００９１】
ステップＳ７では、ステップＳ１で読み込んだ信号に基づいてエンジン１０の運転領域を判定し、その運転領域と、ステップＳ３で予測した実際の酸素濃度と、に対応する噴射制御マップを選択する。この噴射制御マップは、図２に示すマップの運転領域毎に設定されていると共に、例えば図６及び図７に例示するように、各運転領域について実酸素濃度の高中低に対応して３種類設定されている。図６は、領域（５）での噴射制御マップであり、図７は、領域（６）での噴射制御マップである。また、図６及び７の（ａ）は、実酸素濃度が高いときのマップであり、（ｂ）は、実酸素濃度が中程度のときのマップであり、（ｃ）は、実酸素濃度が低いときのマップである。実酸素濃度の高、中、低は、図５の下図に示す、実酸素濃度の高、中、低にそれぞれ対応する。例えば図５の運転例において、加速過渡時の領域（５）にあるときには、図６（ａ）〜（ｃ）のマップの内、実酸素濃度の高低に応じたマップが選択され、領域（６）にあるときには、図７（ａ）〜（ｃ）のマップの内、実酸素濃度の高低に応じたマップが選択される。
【００９２】
ステップＳ８で噴射制御マップを選択すれば、続くステップＳ９で、ΔＣＣＬＤとΔＰＩＭとに応じて、選択したマップに従い、燃料噴射パターンを選択する。噴射制御マップは、目標酸素濃度と実酸素濃度との偏差ΔＣＣＬＤと、目標過給圧と実過給圧との偏差ΔＰＩＭとに応じて、図３に示すパターン１からパターン５のいずれかを選択するように構成されている。つまり、この噴射制御マップに記された「３」「４」等の数字は、噴射パターンを示しており、「３」の場合はパターン３を、「４」の場合はパターン４を選択する意味である。
【００９３】
例えば図６（ａ）のマップを例にすると、ΔＣＣＬＤが０で、ΔＰＩＭも０のときには、実酸素濃度と目標酸素濃度とのずれがなく、しかも実過給圧と目標過給圧とのずれもないため、定常時において領域（５）に設定されている噴射パターンであるパターン３を選択する。尚、図６の各図において太実線で囲むように、ΔＣＣＬＤ及びΔＰＩＭが小さいとき（つまり、０及び０に近いとき）には、定常時の噴射パターンであるパターン３が選択される。
【００９４】
一方、ΔＣＣＬＤがマイナスのとき、つまり、実酸素濃度が、目標酸素濃度を下回り着火性が低下する状態のときであって、そのマイナスの値が大きいときには、実酸素濃度と、目標酸素濃度との乖離が大きくて、着火性が低くなる。つまり、ΔＣＣＬＤのマイナスの値が大きいほど、着火遅れが長くなって燃焼音が増大する懸念が強まり、さらには失火の懸念が強まる。そこで、同図に示すように、ΔＣＣＬＤのマイナス値になるときには（つまり、マップの右側）、パターン３ではなく着火性の向上効果の高い、パターン４を選択すると共に、マイナス値がさらに大きくなれば、着火性を更に高めるべく、パターン５を選択する。
【００９５】
また、ΔＰＩＭが大きいときには、その値が大きいほど、実過給圧が目標過給圧を下回り、着火性が低下する状態であるため、パターン３ではなく、パターン４又はパターン５を選択する。こうして、ステップＳ９では、ΔＣＣＬＤ及びΔＰＩＭに応じて、燃焼室内の着火性の高低に応じた噴射パターンを選択する。
【００９６】
尚、ΔＣＣＬＤがプラスの値のとき、つまり実酸素濃度が目標酸素濃度を上回るときには着火性が高まることから、定常時に設定されている噴射パターンでは過早着火を招く虞がある。そこで、噴射制御マップは、ΔＣＣＬＤがプラスの値のときには（つまり、マップの左側）、パターン３よりも着火性が低くなるパターン１を選択するように構成されている。ΔＣＣＬＤがプラスの値になるのは、例えば減速過渡時である。
【００９７】
また、図６（ａ）（ｂ）（ｃ）の比較から、実酸素濃度が低いときには、それが高いときよりも、パターン５が選択されやすくなる。つまり、ΔＣＣＬＤやΔＰＩＭの値が小さくてもパターン５が選択される。これは、実酸素濃度が低いときは、高いときと比較して着火性が低下することから、より着火性の向上効果が高い噴射パターンが選択されるように、噴射パターンの切換閾値を変更している、と言うことができる。
【００９８】
また、図５に示すように、エンジン１０の運転状態が領域（６）に移行した後には、図７（ａ）〜（ｃ）に示す制御マップに従って、噴射パターンが選択される。領域（６）においても、前述した領域（５）と同様に、ΔＣＣＬＤがマイナスのときには、そのマイナス値の大きさに応じて、パターン２ではなく、パターン４又はパターン５が選択され、逆に、ΔＣＣＬＤがプラスのときには、パターン２ではなく、パターン１が選択される。また、ΔＰＩＭが大きいときには、パターン２ではなく、パターン４又はパターン５が選択される。
【００９９】
こうして、ステップＳ９において噴射パターンを選択すれば、続くステップＳ１０において、冷却水温と外気温度とに応じて、選択した噴射パターンの補正を行う。
【０１００】
図８は、冷却水温Ｔｗと外気温度Ｔａｉｒに応じて噴射パターンを補正するためのマップを例示している。冷却水温Ｔｗが高いほど、また、外気温度Ｔａｉｒが高いほど、着火性には有利になり、逆に、冷却水温Ｔｗが低いほど、また、外気温度Ｔａｉｒが低いほど、着火性には不利になる。そこで、冷却水温Ｔｗが低いとき、及び／又は、外気温度Ｔａｉｒが低いときに着火性が高まるように、ステップＳ９で設定した噴射パターンを変更する。図８に示すマップにおいて「１」は、ステップＳ９で選択した噴射パターンを、着火性が高くなるように一段階変更することを意味する。例えばステップＳ９で、パターン２を選択したときには、これをパターン３にし、パターン３を選択したときには、これをパターン４にする。尚、ステップＳ９でパターン５を選択したときには、パターン５のままにする。また、マップにおいて「０」は、ステップＳ９で選択した噴射パターンで補正しないことを意味し、冷却水温Ｔｗが高くかつ外気温度Ｔａｉｒが高いときの「−１」は、着火性が低くなるように一段階変更することを意味する。つまり、ステップＳ９でパターン２を選択したときには、これをパターン１にし、パターン３を選択したときには、これをパターン２にする。尚、ステップＳ９でパターン１を選択したときには、パターン１のままにする。こうして、燃焼室内の状態に対応した噴射パターンにすることが可能になる。
【０１０１】
続くステップＳ１１では、シリンダ１１内の壁温を予測し、その壁温に応じて噴射パターンを変更する。尚、シリンダ１１内の壁温は、過給圧（つまり、吸気圧）、冷却水温、外気温、インタークーラ下流の温度、及び、予測した圧縮端温度等の、温度に関する各種のパラメータから予測すればよい。
【０１０２】
図９は、壁温に係る補正マップを例示している。このマップは、図示は省略するが、図２のマップにおける運転領域毎に設定されていると共に、各運転領域について、実酸素濃度の高、中、低に応じて分けられている。同図（ａ）は、実酸素濃度が高いとき、同図（ｂ）は、実酸素濃度が中程度のとき、同図（ｃ）は、実酸素濃度が低いとき、にそれぞれ対応するマップである。このマップは、壁温が高いときには、「−１」として、噴射パターンを、着火性が低下する方向に一段階変更する。つまり、パターン２をパターン１にし、パターン３をパターン２にする。マップにおける「０」は、噴射パターンの変更を行わないことを、「１」は、噴射パターンを、着火性の向上する方向に一段階変更することを意味する。
【０１０３】
図９の（ａ）（ｂ）（ｃ）の比較から明らかなように、実酸素濃度が低いときほど、「１」の範囲が広くなっており、着火性が高まるように噴射パターンが変更される。これは実酸素濃度の高低に応じて、実酸素濃度が低いほど燃料の着火性が低下するとして、着火性の向上効果がより高い噴射パターンが選択されるように、切換閾値を変更していることと等価である。
【０１０４】
こうして、噴射パターンが設定されれば、続くステップＳ１２で、ΔＣＣＬＤに応じて、前噴射の噴射量の増量補正を行う。つまり、選択した噴射パターンの範囲内において、前噴射に含まれるパイロット噴射及びプレ噴射の噴射量を調整する。具体的には、パターン４のときであって、ΔＣＣＬＤがマイナス側に大きくなって着火性が低下するときには、１回目のプレ噴射４−２の噴射量の増量率を、他の噴射４−１、４−３の噴射量の増量率よりも高くする。こうすることで、火種の周囲に形成する、相対的にリッチな混合気の範囲を拡大し、着火性の向上を図る。また、パターン５のときであって、ΔＣＣＬＤがマイナス側に大きくなって着火性が低下するときには、２回目のプレ噴射５−３の噴射量の増量率を、他の噴射５−１、５−２の噴射量の増量率よりも高くする。こうすることで、火種となるリッチ混合気の範囲を拡大し、着火性のさらなる向上を図る。
【０１０５】
そうして設定した噴射パターンに従って、ステップＳ１３で燃料噴射を実行し、フローはリターンする。
【０１０６】
このように、このエンジンシステム１では、燃焼室内の状態が、着火遅れの懸念がないとき（定常時を含む）には、パターン２又はパターン３を選択する。パターン２及びパターン３はそれぞれ、主噴射の前に、２回の前噴射（つまり、第１の前噴射及び第２の前噴射）を行う。パターン２及びパターン３は、燃焼室内の状態が、着火遅れの懸念がないときの所定の噴射モードに対応する。
【０１０７】
また、燃焼室内の状態が、燃料の着火性が低くて着火遅れが長くなることが懸念される状態のとき、又は、吸気の目標酸素濃度と実酸素濃度との偏差ΔＣＣＬＤが所定以上になって着火性の悪化により着火遅れが長くなることが懸念されるときには、パターン４を選択する。パターン４は、前述したように、パターン２及びパターン３に対して、第１の前噴射の回数を増やした（つまりパイロット噴射４−１及び１回目のプレ噴射４−２を含む）噴射パターンである。このパターン４を選択することによって、燃焼室内の着火性がさらに低いときにも、着火性を高めることができ、着火遅れが長くなることが確実に回避される。
【０１０８】
さらに、吸気の目標酸素濃度と実酸素濃度との偏差ΔＣＣＬＤが所定以上になって着火性の悪化により失火が懸念されるときには、パターン５を選択する。パターン５は、前述したように、パターン２及びパターン３に対して、第２の前噴射の回数を増やした（つまり１回目のプレ噴射５−２及び２回目のプレ噴射５−３を含む）噴射パターンである。このパターン５を選択することによって、燃焼室内の着火性がさらに低いときにも、着火性を十分に高めることができ、失火が確実に回避される。
【０１０９】
また、所定の噴射モードであるパターン２とパターン３との内、着火性が低下して着火遅れが長くなり得るときには、パターン３を選択することになるが、これは、前噴射の噴射量を、パターン２よりも増量すると共に、パイロット噴射及びプレ噴射の内の、パイロット噴射の噴射量の増量率を、プレ噴射の噴射量の増量率よりも高くすることに相当する。こうすることで、煤の発生を抑制しながら、着火遅れが長くなることを抑制することが可能になる。
【０１１０】
さらに、パターン４とパターン５との内、失火の懸念が強まるときには、パターン５を選択することになるが、これは、前噴射の噴射量を、パターン４よりも増量すると共に、複数回の前噴射を遅角させていることに相当する。このときに、１回目のプレ噴射の遅角量は、２回目のプレ噴射の遅角量に対して大きい。その結果、１回目のプレ噴射は、パターン４では、火種となる混合気の周囲に、相対的にリッチな混合気を形成することに寄与するのに対し、パターン５では、火種となる混合気の範囲を拡大することに寄与する（図１０（ａ）（ｂ）参照）。パターン４は、前噴射として行う複数回の噴射の内、先に行う噴射の回数を、後に行う噴射の回数よりも多くするのに対し、パターン５は、後に行う噴射の回数を、先に行う噴射の回数よりも多くすることになる。パターン５はまた、パターン４に対して、先に行う噴射の回数を減らし、後に行う噴射の回数を増やしたパターンということもできる。こうして、パターン５では、着火性をより高めることが可能になり、失火が回避される。
【０１１１】
また、パターン４とパターン５とは、いずれも、第１の噴射（つまり、パイロット噴射）、第２の噴射（つまり、１回目のプレ噴射）、及び第３の噴射（つまり、２回目のプレ噴射）の３回の噴射を前噴射として行う噴射パターンであり、パターン４に対してパターン５は、第２の噴射の遅角量を、第３の噴射の遅角量よりも大きくした噴射パターンに相当する。パターン４は、図６、７に示すように、吸気の目標酸素濃度と実酸素濃度との偏差ΔＣＣＬＤが所定以上になって着火性が低下したときの第１噴射モードに対応し、パターン５は、ΔＣＣＬＤが第２所定以上になって、着火性がさらに低下したときの第２噴射モードに対応する。
【０１１２】
また、パターン４においては、燃料の着火性が低くなるほど、前噴射の噴射量を増やすと共に、３回の噴射の内、第２の噴射（つまり、１回目のプレ噴射４−２）の増量率を最も高くすることによって（図４のフローのステップＳ１２）、煤の発生を抑制しながら、着火性を高めることが可能になる。これは、言い換えると、前噴射の内、第１の前噴射（つまり、１回目のプレ噴射４−２）の増量率を、第２の前噴射（つまり、２回目のプレ噴射４−３）の増量率よりも高くすることに対応する。
【０１１３】
また、パターン５においては、燃料の着火性が低くなるほど、前噴射の噴射量を増やすと共に、３回の噴射の内、第３の噴射（つまり、２回目のプレ噴射５−３）の増量率を最も高くすることによって、着火性を効果的に高めることが可能になる（図４のフローのステップＳ１２）。これは、言い換えると、前噴射の内、第２の前噴射（つまり、２回目のプレ噴射５−３）の増量率を、第１の前噴射（つまり、１回目のプレ噴射５−２）の増量率よりも高くすることに対応する。
【０１１４】
また、実酸素濃度と目標酸素濃度との偏差ΔＣＣＬＤだけでなく、実過給圧と目標過給圧との偏差ΔＰＩＭに応じて、噴射パターンの選択や、前噴射の噴射量及び噴射時期を補正することによって（図６、７参照）、特に、加速過渡時や減速過渡時において、煤の発生を抑制しつつ、着火遅れが長くなって燃焼音が大きくなること、及び、失火が回避されると共に、過早着火が回避される。
【０１１５】
さらに、外気温度Ｔａｉｒ、及びエンジン１０の冷却水温度Ｔｗに基づいて、噴射パターンを変更したり（図８参照）、シリンダ１１の壁温に応じて噴射パターンを変更したり（図９参照）することで、加速過渡時や減速過渡時において、煤の発生を抑制しつつ、着火遅れが長くなって燃焼音が大きくなること、及び、失火が回避されると共に、過早着火が回避される。
【０１１６】
また、実酸素濃度の高低に応じて、噴射パターンの選択に係る閾値を変更することにより（図６、７、９の（ａ）〜（ｃ）参照）、燃焼室内の着火性の状態に対応した適切な噴射パターンを選択することができ、燃焼音の増大及び失火が適切に回避される。
【０１１７】
こうして、低圧ＥＧＲシステム５２を備えることによって、特に過渡運転時において酸素濃度の目標からのずれが大きくなるときであっても、燃焼音の増大及び失火、並びに、過早着火を適切に回避することが可能になる。
【符号の説明】
【０１１８】
１０  エンジン（ディーゼルエンジン本体）
１００  コントロールユニット（制御器）
１１  シリンダ（燃焼室）
１２１  キャビティ（燃焼室）
２１  インジェクタ（燃料噴射弁）
６  ターボ過給システム（ターボ過給機）
【図１】
0006052190.tif 000002
【図２】
0006052190.tif 000003
【図３】
0006052190.tif 000004
【図４】
0006052190.tif 000005
【図５】
0006052190.tif 000006
【図６】
0006052190.tif 000007
【図７】
0006052190.tif 000008
【図８】
0006052190.tif 000009
【図９】
0006052190.tif 000010
【図１０】
0006052190.tif 000011